(57)【要約】【課題】横方向にスタッキングすることができ、スタッキングした状態であっても、一脚分より広い面積の座面を確保して着席することができる横方向にスタッキング可能な椅子を提供する。【解決手段】椅子（１）は斜連結材（１５ａ、１５ｂ）で連結した左右の脚部（５）、（９）に第一座部（１０）を固定すると共に第二座部（１１）を回転自在に取り付けて構成した。第二座部（１１）は、座面形成時はその上面が第一座部（１０）の上面と同一平面となり、収納時は、第一座部（１０）を固定した脚部（９）から離れる方向に回転して左右一対の脚部（５）（９）間に収納される。第二座部（１１）の座面形成時と、収納時の第二座部（１１）の位置を固定する固定手段を備えている。【選択図】図１
2004275279.tif 000002
【特許請求の範囲】
【請求項１】
支脚を備えた一方の脚部と、
支脚と当該支脚から前後方向に連設した横材を備えた他方の脚部と、
双方の前記脚部を接続する部材であって、前記横材に対して斜めに配置された斜連結材と、
前記一方の脚部に取り付けた第一座部と、
前記他方の脚部の横材に回動自在に取り付けられていて、座面形成時はその上面が前記第一座部の上面と同一平面となり、収納時は、前記一方の脚部から離れる方向に回転して前記双方の脚部間に収納される第二座部と、
前記第二座部の座面形成時と、収納時の当該第二座部の位置を固定する固定手段
とで構成されたことを特徴とする横方向にスタッキング可能な椅子。
【請求項２】
前後の支脚を備えると共に当該支脚から前後方向に連設した横材を備えた左右一対の脚部と、
左右の前記横材を接続する部材であって、前記横材に対して斜めに配置された斜連結材と、
前記左右一対の脚部のどちらか一方の脚部の横材に取り付けられている第一座部と、
前記左右一対の脚部の他方の脚部の横材に回動自在に取り付けられていて、座面形成時はその上面が前記第一座部の上面と同一平面となり、収納時は、前記一方の脚部から離れる方向に回転して前記左右一対の脚部間に収納される第二座部と、
前記第二座部の座面形成時と、収納時の当該第二座部の位置を固定する固定手段
とで構成されたことを特徴とする横方向にスタッキング可能な椅子。
【請求項３】
前後の支脚を備えると共に当該支脚から前後方向に連設した横材を備えた左右一対の脚部と、
前記左右一対の脚部の前側の支脚同士又は後側の支脚同士を接続する部材であって、床面に対して斜めに配置された斜連結材と、
前記左右一対の脚部のどちらか一方の脚部の横材に取り付けられている第一座部と、
前記左右一対の脚部の他方の脚部の横材に回動自在に取り付けられていて、座面形成時はその上面が前記第一座部の上面と同一平面となり、収納時は、前記第一座部を固定した脚部から離れる方向に回転して前記左右一対の脚部間に収納される第二座部と、
前記第二座部の座面形成時と、収納時の当該第二座部の位置を固定する固定手段
とで構成されたことを特徴とする横方向にスタッキング可能な椅子。
【請求項４】
前後の支脚を備えると共に当該支脚から前後方向に連設した横材を備えた左右一対の脚部と、
前記左右一対の脚部の一方の脚部の前側の支脚と他方の脚部の後側の支脚を接続する斜連結材と、
前記左右一対の脚部のどちらか一方の脚部の横材に取り付けられている第一座部と、
前記左右一対の脚部の他方の脚部の横材に回動自在に取り付けられていて、座面形成時はその上面が前記第一座部の上面と同一平面となり、収納時は、前記第一座部を固定した脚部から離れる方向に回転して前記左右一対の脚部間に収納される第二座部と、
前記第二座部の座面形成時と、収納時の当該第二座部の位置を固定する固定手段
とで構成されたことを特徴とする横方向にスタッキング可能な椅子。
【請求項５】
第一座部及び第二座部は後端から後側斜め上方に向かって連設した背もたれ部を備えていることを特徴とする請求項１乃至４のいずれか一項記載の横方向にスタッキング可能な椅子。
【請求項６】
背もたれ部はそれぞれ板体で形成されており、前記第二座部に連設した背もたれ部は、スリットを有していることを特徴とする請求項５記載の横方向にスタッキング可能な椅子。
【請求項７】
第二座部の位置を固定する固定手段は、前記横材に細径部を設け、当該細径部に前記第二座部の支持部材を形成する取付パイプを遊嵌すると共に当該取付パイプの一端側に弾性材を装着し、
前記取付パイプの他端側にキーを形成すると共に、前記横材の細径部の前記弾性体を装着したのとは反対側の端部に、前記第二座部の座面形成時と、収納時に前記キーが掛合するキー溝を形成したことを特徴とする請求項１乃至６のいずれか一項記載の横方向にスタッキング可能な椅子。
【請求項８】
第二座部を取り付けた横材は、回転した背もたれ部との接触を回避する凹部が設けられていることを特徴とする請求項１乃至７のいずれか一項記載の横方向にスタッキング可能な椅子。
【発明の詳細な説明】
【０００１】
【発明の属する技術分野】
この発明は、椅子に関し、特に横方向にスタッキングすることができ、スタッキングした状態であっても、一脚分より広い面積の座面を確保して着席することができる横方向にスタッキング可能な椅子に関する。
【０００２】
【従来の技術】
従来、スタッキング可能な椅子（スタッキングチェア）は種々提案されおり、スタッキングの方法は、椅子５０、５０を斜め上方にスタッキングする斜軸タイプ（図１０）や、椅子を上方にスタッキングする垂直軸タイプ（不図示）又は椅子５１、５１を角度をずらして回転させながら上方へ積み上げていく回転軸タイプ（図１１）、さらに、椅子５２、５３を前後方向にスタッキングするタイプ（図１２）等に分類されている。
【０００３】
図１０図示の斜軸タイプや垂直軸タイプ又は図１１図示の回転軸タイプは、一方の椅子を他方の椅子の上まで持ち上げ、当該他方の椅子の上に積み重ねる、すなわち、上方に積み上げていくものであるため、スタッキングする椅子の脚数が増えるに連れて、過重な労力が必要になり、スタッキングすることが困難となっていた。
【０００４】
また、これらのスタッキングのタイプでは、座面が着席できる状態に露出しているのは最上段にスタッキングされた椅子のみであるが、この最上段の椅子に着席しようとすれば一番下の椅子にかなりの荷重が加わるし、安定性や安全面等からみても、上方にスタッキングした椅子に着席すること自体困難であった。
【０００５】
一方、図１２図示の前後方向にスタッキングするタイプの椅子は、重ねた状態でも着席することができ、重なった椅子の脚が床に接地できるので椅子にかかる荷重は一脚の椅子単独で使用するときとそれ程異なることはない。
【０００６】
しかし、着席できる椅子は、何脚椅子を重ねても最前列の椅子一脚のみであり、後方に重ねられた椅子の体積が占める空間は利用することができなかった。
【０００７】
【特許文献１】実公昭６４−６１３２号公報
【０００８】
【特許文献２】実用新案登録第２５７７０００号公報
【０００９】
【発明が解決しようとする課題】
スタッキングチェアは、使用しないときに積み重ねて収納、保管することを主な目的とした椅子であるが、使用していない、いわば邪魔なものである椅子を重ねることによってできるだけ邪魔なものの保管に割くスペースを小さくしようとする狙いがある。
【００１０】
しかし、従来のスタッキングチェアでは、前記のようにスタッキングした状態で使用することはほとんどできず、使用することのできないスタッキングした状態の椅子をただ単に置いておくだけの収納、保管スペースを確保しなければならないという問題は依然解消されていなかった。
【００１１】
そこで、本発明の発明者は、スタッキングした状態の椅子に「スタッキングした状態であっても着席できる」との使用価値を与え、「邪魔になるような使わない椅子を、座れる状態で積み重ねることで、ただ置いておくだけの収納スペースが、実用的なスペースとして活用でき、スペースの有効利用につながる。」とのコンセプトの下、横方向（左右方向）にスタッキングすることができる椅子を開発することとした。
【００１２】
なお、本明細書において用いるスタッキングとは、対象とする椅子の上に他の椅子を積み重ねること、及び、対象とする椅子の前後方向又は横方向（左右方向）等に重ねていくことの意義を有するものである。
【００１３】
【課題を解決するための手段】
然るに本発明は、左右一対の脚部を斜めの斜連結材で連結し、その脚部上に、二分割した座部を設置して椅子を形成し、前記二分割した座部の一方を回転させて前記左右一対の脚部の間に収納し、当該収納された座部が収納前に設置されていた場所に他の椅子をスタッキングするようにして前記問題点を解決したのである。
【００１４】
即ち本発明の椅子は、
支脚を備えた一方の脚部と、支脚と当該支脚から前後方向に連設した横材を備えた他方の脚部と、双方の前記脚部を接続する部材であって、前記横材に対して斜めに配置された斜連結材と、前記一方の脚部に取り付けた第一座部と、前記他方の脚部の横材に回動自在に取り付けられていて、座面形成時はその上面が前記第一座部の上面と同一平面となり、収納時は、前記一方の脚部から離れる方向に回転して前記双方の脚部間に収納される第二座部と、前記第二座部の座面形成時と、収納時の当該第二座部の位置を固定する固定手段とで構成されたことを特徴とする横方向にスタッキング可能な椅子である（請求項１）。
【００１５】
また、他の発明は、前後の支脚を備えると共に当該支脚から前後方向に連設した横材を備えた左右一対の脚部と、左右の前記横材を接続する部材であって、前記横材に対して斜めに配置された斜連結材と、前記左右一対の脚部のどちらか一方の脚部の横材に取り付けられている第一座部と、前記左右一対の脚部の他方の脚部の横材に回動自在に取り付けられていて、座面形成時はその上面が前記第一座部の上面と同一平面となり、収納時は、前記一方の脚部から離れる方向に回転して前記左右一対の脚部間に収納される第二座部と、前記第二座部の座面形成時と、収納時の当該第二座部の位置を固定する固定手段とで構成されたことを特徴とする横方向にスタッキング可能な椅子である（請求項２）。
【００１６】
更に他の発明は、前後の支脚を備えると共に当該支脚から前後方向に連設した横材を備えた左右一対の脚部と、前記左右一対の脚部の前側の支脚同士又は後側の支脚同士を接続する部材であって、床面に対して斜めに配置された斜連結材と、前記左右一対の脚部のどちらか一方の脚部の横材に取り付けられている第一座部と、前記左右一対の脚部の他方の脚部の横材に回動自在に取り付けられていて、座面形成時はその上面が前記第一座部の上面と同一平面となり、収納時は、前記第一座部を固定した脚部から離れる方向に回転して前記左右一対の脚部間に収納される第二座部と、前記第二座部の座面形成時と、収納時の当該第二座部の位置を固定する固定手段とで構成されたことを特徴とする横方向にスタッキング可能な椅子である（請求項３）。
【００１７】
更に他の発明は、前後の支脚を備えると共に当該支脚から前後方向に連設した横材を備えた左右一対の脚部と、前記左右一対の脚部の一方の脚部の前側の支脚と他方の脚部の後側の支脚を接続する斜連結材と、前記左右一対の脚部のどちらか一方の脚部の横材に取り付けられている第一座部と、前記左右一対の脚部の他方の脚部の横材に回動自在に取り付けられていて、座面形成時はその上面が前記第一座部の上面と同一平面となり、収納時は、前記第一座部を固定した脚部から離れる方向に回転して前記左右一対の脚部間に収納される第二座部と、前記第二座部の座面形成時と、収納時の当該第二座部の位置を固定する固定手段とで構成されたことを特徴とする横方向にスタッキング可能な椅子である（請求項４）。
【００１８】
前記おいて、第一座部及び第二座部は後端から後側斜め上方に向かって連設した背もたれ部を備えているものとすることができ（請求項５）、当該背もたれ部はそれぞれ板体で形成されており、前記第二座部に連設した背もたれ部は、スリットを有しているものとすることができる（請求項６）。
【００１９】
更に、前記における第二座部の位置を固定する固定手段は、前記横材に細径部を設け、当該細径部に前記第二座部の支持部材を形成する取付パイプを遊嵌すると共に当該取付パイプの一端側に弾性材を装着し、前記取付パイプの他端側にキーを形成すると共に、前記横材の細径部の前記弾性体を装着したのとは反対側の端部に、前記第二座部の座面形成時と、収納時に前記キーが掛合するキー溝を形成したものとすることができる（請求項７）。
【００２０】
また、第二座部を取り付けた横材は、回転した背もたれ部との接触を回避する凹部が設けられているものとすることができる（請求項８）。
【００２１】
【発明の実施の形態】
以下、添付図面を参照して本発明の好ましい実施の形態を説明する。なお、図２は、この発明の一つの実施の形態の横方向にスタッキング可能な椅子１の斜視図であり、図３は正面図、図４は左側面図、図５は平面図である。また、図１は、（ａ）〜（ｄ）が椅子１ａの変形の様子を順に表したものであり、図１（ｅ）は、椅子１ａの変形が完了した状態、図１（ｆ）は、２脚の椅子１ａと１ｂとをスタッキングした状態の斜視説明図である。図１において、椅子１ａの構成要素には添え字“ａ”を付し、椅子１ｂの構成要素には添え字“ｂ”を付してある。
【００２２】
本発明の椅子１は、支脚を備えた一方の脚部と、支脚と当該支脚から前後方向に連設した横材を備えた他方の脚部とを斜連結材で連結し、一方の脚部に第一座部を取り付けて、さらに、他方の脚部の横材に第二座部を回動自在に取り付けて構成した。ここで、第二座部は、他方の横材に回動自在に取り付けることにより、座面形成時はその上面が前記第一座部の上面と同一平面となり、収納時は、前記第一座部を固定した脚部から離れる方向に回転して前記左右一対の脚部間に収納される。また、椅子１は、前記第二座部の座面形成時と、収納時の当該第二座部の位置を固定する固定手段を備えている。
【００２３】
前記支脚は、少なくとも第二座部を取り付ける側の支脚は横材を連設することができ、当該横材に回動自在に取り付けた第二座部を左右の脚部間に収納する際に邪魔にならないような形状であればどのような形状であってもよい。また、第一座部を取り付ける側の支脚も脚部間に収納する際に邪魔にならないようなものであればよい。例えば、図示のような床面に対してほぼ垂直となる前後の支脚２、３（左側）、前後の支脚６、７（右側）としてもよいし、湾曲した形状（不図示）とすることもできる。
【００２４】
前記横材は、前記のように、第二座部を取り付けることができるような形状、強度を有している必要がある。また、第二座部を取り付ける側の横材は、第二座部を回転自在に取り付けることのできる構造を有していなければならない。
【００２５】
図示の例では、前後の支脚２、３を横材４で連結して左側の脚部５を構成している。また、左側の脚部５を構成する横材４は、第二座部１１が回動自在に取り付けられることになるので、図６図示のように細径部４ａ、４ａを形成し、当該細径部４ａに第二座部１１の支持部材１３を形成する取付パイプ１４、１４を遊嵌する構造となっている。
【００２６】
また、第二座部１１を取り付けた横材４は、第二座部１１及び背もたれ部２０の側面形状に応じて、図示のように回転した背もたれ部２０との接触を回避する凹部が設けておくことができる（図４参照）。
【００２７】
一方、前記斜連結材は支脚に直接取り付ける構成とすることもできるので、このような構成とするときは、第一座板を取り付ける側の横材は備えていなくてもよいが、第一座部を取り付ける側に横材を備えた構成とするときは、スタッキングしたときに椅子の高さを同一とすべく横材を配置する位置を工夫することが必要である。
【００２８】
図示の例では、前後の支脚６、７から横材８を連設して右側の脚部９を構成しているが、横材８はスペーサ部８１により高くした部分に斜連結材１５ａ、１５ｂを取り付けて、スタッキングしたときに一方の斜連結材を他方の斜連結材が上方から被さるようにしてスタッキングできるようにしてある。
【００２９】
前記斜連結材は、左右の脚部を連結するものであるが、連結する脚部の部位は、前記横材に回動自在に取り付けた第二座部を左右の脚部間に収納する際に邪魔にならないような部位であれば、脚部の支脚同士であっても、横材同士であってもよく、さらに、一方の支脚と他方の支脚であってもよい。
【００３０】
ただし、この斜連結材は、椅子１を横方向にスタッキングするときに斜連結材同士が干渉しないように「斜め」に配置されていることが必須である。この「斜め」の基準は、連結する脚部の部位によって異なるが、図１〜図５図示の例では、並行配置した横材４、８を斜連結材１５ａ、１５ｂで連結しており、斜連結材１５ａ、１５ｂは横材４、８に対して斜めとなるように八の字形に配置されている。
【００３１】
図９は、スタッキング時の斜連結材１５ａ、１５ｂの部分を椅子の下側から見た説明図であるが、このように斜連結材１５ａ、１５ｂを配置すれば椅子１の斜連結材１５ａ、１５ｂが干渉することがないので、矢示１８の方向に順次スタッキングしていくことができる。
【００３２】
また、図７図示のように左前側の支脚２と右前側の支脚６をこれらの支脚２、６に対して（床面に対して）斜めに配置した斜連結材１６を用いて脚部５、９を連結するようにしてもよい。もちろん、斜連結材１６に代えて、左後側の支脚３と右後側の支脚７をこれらの支脚３、７に対して（床面に対して）斜めに配置した斜連結材（不図示）としてもよいし、これら双方を取り付けることもできる。また、その傾きも、図７図示のように椅子の左側下がりではなく、椅子の右側下がりに取り付けることもできる。
【００３３】
さらに、図８図示のように連結した状態が平面視でＺ字状をなすように、左前側の支脚２と右後側の支脚７とを連結する斜連結材１７とすることもできる。斜連結材１７とすることもできる。また、もちろん、左後側の支脚３と、右前側の支脚６を連結する斜連結材（不図示）とすることもできる。さらに、これら双方を取り付けることも可能である。但し、このような斜連結材とする場合も、これらの斜連結材、また、斜連結材の交点がスタッキングの際、干渉しないような形状、配置とする工夫が必要である。
【００３４】
図示の例では、Ｚ字状を形成する横材８、斜連結材１７、横材４の高さ方向の位置関係は、横材８が最も上方に位置し、次に斜連結材１７で、最も低い位置にあるのが横材４である。このように第二座部を取り付けた横材を斜連結材よりも下方に配置すれば、上方からスタッキングしたときに脚部間に、収容された第二座部１１に斜連結材１７が干渉することがない。
【００３５】
前記第一座部は、左右の脚部のどちらか一方の横材に取り付けられ、その上面が、後に説明する第二座部が座面形成時の位置にあるときに、当該第二座部の上面と共に座面を形成するものである。
【００３６】
第一座部の幅がスタッキングした際の横方向の幅の増加分になるため、この第一座部の幅を変えれば、スタッキングした際の幅の増加を変えることができる。図示の例では、図５図示のように第一座部１０の幅Ｗ１と、第二座部１１の幅Ｗ２との比率は１：４としてあるので椅子１の全幅Ｗ０の１／５ずつ横方向に幅が増加し、スタッキングした状態の椅子の座面の幅も増加することとなる。
【００３７】
前記第二座部は、前記第一座部を取り付けたのとは異なる側の脚部の横材に回動自在に取り付け、座面形成時（図１（ａ））はその上面が前記第一座部の上面と同一平面となる。また、収納時は、前記第一座部を固定した脚部から離れる方向に回転して前記左右の脚部間に収納される。
【００３８】
図１（ｅ）は、椅子１ａの第二座部１１ａが完全に回転を終え、椅子１ａの第二座部１１ａが、左右の脚部５、９間に収納された状態であるが、このように第二座部１１ａヲ収納することにより、八の字状の斜連結材１５ａ、１５ｂ上にスペースが形成される。当該スペースに椅子１ｂの第二座部１１ｂを載置することができ、スタッキングが完了し、この状態であっても、同一平面の座面が形成される（図１（ｆ））。
【００３９】
図示の例では、第二座部１１を取り付けた横材４が床面に対して平行に設置してあるので、第二座部が横材４を軸にして回転する角度（図１（ａ）の状態から図１（ｅ）の状態となるまでの角度）は、２７０°以上である。この角度は、第二座部の形状や取り付けの状態等によって異なるが、スタッキングするときに邪魔にならないように脚部間に収容されることが必要である。
【００４０】
前記第二座部の位置を固定する手段は、第二座部は前記のように横材に回動自在に取り付けられているので、座面形成時、収納時に固定された状態を作り出すために取り付けられるものである。従って、座面形成時、収納時に第二座部を固定することができるものであればどのようなものであってもよく、取り付ける位置も採用する機構に応じた場所に取り付けることができる。例えば、図６図示のようなキー及びキー溝を用いたロック機構とすることもできるし、マグネット等を利用することもできる。マグネットを利用する場合は、例えば、斜連結材１５ａ、１５ｂの上面にマグネットの一方を取り付け、他方のマグネットを第二座部１１の下面に取り付けて座面形成時の第二座部を固定し、第二座部を取り付けた横材の下面にマグネットの一方を取り付け、他方のマグネットを第二座部の前記横材に近い側の側面に取り付けて収納時の第二座部を固定したりすることができる。
【００４１】
前記第一座部１０及び第二座部１１は図示のように後端から後側斜め上方に向かって連設（図４参照）した背もたれ部１９、２０を備えることができる。ここで、「後側斜め上方」としたのは、図１（ｆ）図示の椅子１ａの第二座部１１ａを回転させて椅子１ｂをスタッキングした状態から更に、矢示２１のように椅子１ｂの第二座部１１ｂを回転させたときに、椅子１ａの背もたれ部２０ａに椅子１ｂの背もたれ部２０ｂが干渉しないようにするためである。
【００４２】
また、背もたれ部１９、２０は、着席したときの座り心地（着席者の背中の角度）の点からも「後側斜め上方」に向かって連接されている方が好ましい。
【００４３】
また、背もたれ部はパイプ材で形成したり、板体で形成したりすることができるが、図示のように板体で形成するときは、第二座部１１に連設した背もたれ部２０は、スリット２１、２１を有したものとすることが望ましい。第一座部１０と第二座部１１との間には隙間が生じるが、スリット２１、２１を設けておけば、一脚のときでも背もたれ部１９、２０は同様に撓るし、複数脚の椅子１をスタッキングしたときでも背もたれ部１９、２０が同じように撓るので着席したときに常に同様の座り心地を得ることができる。
【００４４】
【実施例】
この発明の椅子１の実施例を図面に基づき説明する。
【００４５】
〔構成〕
椅子１は斜連結材１５ａ、１５ｂで連結した左右の脚部５、９に第一座部１０を固定すると共に第二座部１１を回転自在に取り付けて構成されている。
【００４６】
左側の脚部５は、床面に垂直に立設する前側の支脚２と後側の支脚３を第二座部１１の奥行きの幅よりも広い間隔を保って平行に配置し、床面に平行となる横材４で連結し構成されている。この横材４は、２カ所に細径部４ａ、４ａが形成してあり、後端側には、第二座板１１（背もたれ部２０）の干渉を回避するための凹部２２を設けてある。なお、細径部４ａ、４ａの後端は、座面形成時と、収納時に第二座部１１の取付パイプ１４のキー２５が掛合する二つのキー溝２６、２６が設けられている。
【００４７】
右側の脚部９は、床面に垂直に立設する前側の支脚６と後側の支脚３を平行に配置し、床面に平行となる横材８で連結して構成されている。この横材８はスペーサ部８１により高くした部分に斜連結材１５ａ、１５ｂを取り付けてある。
【００４８】
斜連結材１５ａ、１５ｂは八の字形に配置し、八の字の幅の広い側を右側の脚部９の横材８のスペーサ部８１に取り付け、幅の狭い側を左側の脚部５の横材４の細径部４ａ、４ａ間に取り付けた。また、斜連結材１５ａ、１５ｂには受け材２３、２３を取り付けてある。この受け材２３、２３は、スタッキングした際に、他の椅子１の斜連結材１５ａ、１５ｂを受けるものであって、スタッキングの位置決め、ズレ防止の役割を有する。なお、受け材２３、２３は、第一座板１０の下面に取り付けてもよい。
【００４９】
第一座部１０は、右側の脚部９の横材８上へ固定して取り付けた。第一座部には、後端から後側斜め上方に向かって板体からなる背もたれ部１９が連設されている。
【００５０】
第二座部１１は左側脚部５の横材４を軸として回動自在となるように、また、座面形成時と、収納時に第二座部１１の位置を固定することができる固定手段を組み込んで横材４に取り付けた。第二座部１１をこのように取り付けるために、まず、後端側にキー２５を形成した取付パイプ１４を備えた支持部材１３を第二座部１１の左端下面に取り付け、取付パイプ１４を横材４の細径部４ａに遊嵌した。また、取付パイプ１４の前端側にスプリング２４を装着した。このスプリング２４は、第二座部１１の座面形成時、収納時にキー２５がキー溝２６に掛合した状態となるように付勢するものである。
【００５１】
なお、座面形成時に掛合するキー溝２６から収納時に掛合するキー溝２６までの角度は２７０°である。
【００５２】
第二座板１１には、後端から後側斜め上方に向かって板体からなりスリット２１、２１を有する背もたれ部２０が連設されている。
【００５３】
〔使用方法〕
以上のように構成した椅子１の使用方法について説明する。なお、椅子１は一脚に一人が着席できるものである（図１（ａ））。
【００５４】
図１（ａ）は、座面形成時の状態で、第二座部１１の上面が第一座部１０の上面と同一平面となっている。このとき第二座部１１を取り付けた横材４の部分は図６（ａ）図示のように、キー２５が座面形成時のキー溝２６に掛合している。
【００５５】
この状態から第二座部１１ａを前方（矢示２７の方向）に引くと、スプリング２４が縮んで細径部４ａは図６（ｂ）図示の状態となり、図１（ｂ）〜（ｄ）図示のように第二座部１１（支持部材１３）を第一座部１０を固定した脚部９から離れる方向（矢示２８の方向）へ回転させることができる。
【００５６】
第二座部１１を座面形成時（図１（ａ）図示の状態）から２７０°回転させると、キー２５は収納時（図１（ｅ）図示の状態）のキー溝２６に掛合し、この状態で固定される。なお、キー２５を備えた取付パイプ１４はスプリング２４で後方に付勢されているので手を離せば、自動的にキー２５がキー溝２６に掛合する。
【００５７】
第二座部１１を収納できたら、次の椅子１ｂを斜連結材１５ａ、１５ｂ上に載置するような形でスタッキングする（図１（ｆ））。このとき斜連結材１５ａ、１５ｂは受け材２３、２３当接している。
【００５８】
図１では、椅子１ａ、１ｂの二脚をスタッキングしただけであるが、同様の操作を繰り返すことにより無限にスタッキングをすることができる。
【００５９】
複数個の椅子１をスタッキングすれば、長椅子（ベンチ）のように使用することができる。
【００６０】
以上、本発明の好ましい実施の形態を添付図面を参照して説明したが、本発明はかかる実施の形態に限定されるものではなく、特許請求の範囲の記載から把握される技術的範囲において種々な形態に変更可能である。
【００６１】
この発明の椅子は、左右一対の脚部を斜めの斜連結材で連結し、その脚部上に、二分割した座部を設置して椅子を形成し、前記二分割した座部の一方を回転させて前記左右一対の脚部の間に収納し、当該収納された座部が収納前に設置されていた場所に他の椅子をスタッキングするようにした椅子であるが、このような機能を有すればどのような形態にも変更することができる。
【００６２】
すなわち、椅子はデザイン上、各構成要素の形状や、取付位置が工夫されて変更されることがあるが、このような場合であっても、デザインに応じて前記機能を実現できるように各構成要素の形状を第二座部の回転時、スタッキング時に各部が干渉しない形状とし、さらに取付位置を変更することができる。
【００６３】
【発明の効果】
この発明は、座部を二分割し、その一方を脚部の間に収納することができるようにすると共に、左右の脚部を連結する連結材を斜に配置したので、横方向にスタッキングでき、スタッキング後の座面を椅子一脚のときよりも広くすることができる。
【００６４】
また、第一座部及び第二座部に連設した背もたれ部は、後端から後側斜め上方に向かって連設したのでスタッキングしたときに背もたれ部同士が干渉することがない。
【００６５】
また、背もたれ部をそれぞれ板体で形成し、第二座部に連設した背もたれ部にスリットを形成したのでスタッキングした状態の椅子の何処に着席しても同様の座り心地を得ることができる。
【００６６】
第二座部の座面形成時及び収納時の位置を固定する固定手段として、弾性体によって付勢されたキーと当該キーが掛合するキー溝としたので、第二座部を確実に固定することができ、また、簡易な操作で第二座部を回転させることができる。
【図面の簡単な説明】
【図１】椅子が変形し、スタッキングする状態を説明するものであって、
（ａ）は、一脚目の第二座部が座面形成している状態を示し、
（ｂ）〜（ｄ）は、第二座部が横材４を軸として第一座部を取り付けた脚部から離れる方向に回転する状態を示し、
（ｅ）は、一脚目の椅子の第二座部を脚部間に完全に収納した状態を示し、
（ｆ）は、第二座部を収納した一脚目の椅子に二脚目の椅子をスタッキングした状態を示した説明図。
【図２】この発明の実施例の椅子の斜視図。
【図３】同じく正面図。
【図４】同じく左側面図。
【図５】同じく平面図。
【図６】第二座部を横材に取り付けた部分の拡大説明図で、（ａ）は、第二座部の座面形成時の状態を示し、
（ｂ）は、キーとキー溝との係合を解除して回転させた状態を示した説明図。
【図７】この発明の他の実施例で、前側の支脚同士を斜連結材で連結した例の正面図。
【図８】更に他の実施例で、左後側の支脚と右前側の支脚とを斜連結材で連結した例の座部を取り外した状態の斜視図。
【図９】図１等に示した椅子のスタッキング時の斜連結材１５ａ、１５ｂの部分を椅子の下側から見た説明図。
【図１０】従来の椅子の例であって、椅子を斜め上方にスタッキングする斜軸タイプの説明図。
【図１１】同じく従来の椅子の例であって、椅子を角度をずらして回転させながら上方へ積み上げていく回転軸タイプの説明図。
【図１２】同じく従来の椅子の例であって、椅子を前後方向にスタッキングするタイプの説明図。
【符号の説明】
１、１ａ、１ｂ  椅子
２、３、６、７  支脚
４、８  横材
４  細径部
５、９  脚部
１０  第一座部
１１  第二座部
１３  支持部材
１４  取付パイプ
１５ａ、１５ｂ、１６、１７  斜連結材
１９、２０  背もたれ部
２１  スリット
２２  凹部
２３  受け材
２４  スプリング
２５  キー
２６  キー溝
【図１】
2004275279.tif 000003
【図２】
2004275279.tif 000004
【図３】
2004275279.tif 000005
【図４】
2004275279.tif 000006
【図５】
2004275279.tif 000007
【図６】
2004275279.tif 000008
【図７】
2004275279.tif 000009
【図８】
2004275279.tif 000010
【図９】
2004275279.tif 000011
【図１０】
2004275279.tif 000012
【図１１】
2004275279.tif 000013
【図１２】
2004275279.tif 000014